(57)【要約】【課題】トラスの組立が精度よく簡単にでき、また、必要な強度を保持することができる木造トラス部材を提供する。【解決手段】長尺の木材１の両端部に、継手部材に接合する接合部材２が移動可能に取り付けられた木造トラス部材であって、長尺の木材１の表面に対向して形成された長手方向の一対の溝１３内に配置された補強鋼棒１４の両端部のネジ部がそれぞれ接合部材２にナット１５で固定され、接合部材２に継手部材に接合する接合板１６が形成され、接合部材２と木材１がボルトで固定される。【選択図】図１
2005299155.tif 000002
【特許請求の範囲】
【請求項１】
長尺の木材の両端部に、継手部材に接合する接合部材が移動可能に取り付けられた木造トラス部材であって、長尺の木材の表面に対向して形成された長手方向の一対の溝内に配置された鋼棒の両端部のネジ部がそれぞれ接合部材にナットで固定され、接合部材に継手部材に接合する接合板が形成され、接合部材と木材がボルトで固定されることを特徴とする木造トラス部材。
【発明の詳細な説明】
【技術分野】
【０００１】
本発明は、トラスの組立に使用するトラス部材に木材を利用した木造トラス部材に関するものである。
【背景技術】
【０００２】
体育館、ホール、ドームなどの屋根や梁には、図３（ｂ）に示すように上弦材２０、下弦材２１および斜材２２のトラス部材を継手部材２３に接合して構成したトラス構造が利用されている。トラス部材には金属製パイプが多く使用されている。例えば、金属パイプからなる上弦材、下弦材および斜材の端部を潰してボルト穴を形成し、継手部材にボルトで接合してトラス構造を構成している（特許文献１参照）。
【０００３】
上記のようにトラス部材には金属製パイプが多く使用されているが、体育館などの建築物に、金属パイプにはない木材の持つ自然感、暖かみ等の特徴を生かすために木材を利用した木造トラス部材が利用されている。木造トラス部材として、木材の両端のそれぞれに、継手部材に接続する接合部材を固定したものが提案されている（特許文献２、３参照）。
【０００４】
図３（ａ）に示すように、従来の木造トラス部材は、木材２４の両端のそれぞれに、接合ボルト２５、スリーブ２６、コーン部材２７などからなる接合部材がボルトにより固定され、スリーブ２６を回転させることにより接合ボルト２５が継手部材２３に接続される。
【特許文献１】特許第２９８９９２８号公報
【特許文献２】特開２００３−７４１２５号公報
【特許文献３】特開平１０−１６９００６号公報
【発明の開示】
【発明が解決しようとする課題】
【０００５】
トラス部材を組み立てるトラス構造では、組立時に寸法の僅かな狂いによりトラス構造が変形したりするので、組立精度の管理が厳しく要求される。ところが、木材が膨張収縮により寸法が変化するため、組立精度を上げるために木造トラス部材の組立に手間がかかるという欠点がある。
【０００６】
さらに、木材は材質が一定でなく、また、時間経過により亀裂が入ったりして強度が低下することがあるため、木造トラス部材には亀裂、死節、抜節等のない高価な木材を使用せざるを得ず、コストが高くなるという欠点があった。
【０００７】
そこで、本発明は、トラスの組立が精度よく簡単にでき、また、必要な強度を保持することができる木造トラス部材を提供するものである。
【課題を解決するための手段】
【０００８】
本発明は、長尺の木材の両端部に、継手部材に接合する接合部材が移動可能に取り付けられた木造トラス部材であって、長尺の木材の表面に対向して形成された長手方向の一対の溝内に配置された鋼棒の両端部のネジ部がそれぞれ接合部材にナットで固定され、接合部材に継手部材に接合する接合板が形成され、接合部材と木材がボルトで固定されることを特徴とする。
【発明の効果】
【０００９】
本発明の木造トラス部材は、木材と接合部材との隙間により木材と独立して接合部材を継手部材に位置決めできるので、トラスの組立を精度よく簡単に行うことができる。
【００１０】
また、木材の長さ方向に配置され、接合部材の両端に接合された補強鋼棒により必要な強度を保持する木造トラス部材とすることができる。
【発明を実施するための最良の形態】
【００１１】
本発明の木造トラス部材は、長尺の木材と、その両端部にそれぞれ取り付けられた接合部材とにより構成される。
【００１２】
以下図面を参照して本発明の木造トラス部材を説明する。
【実施例１】
【００１３】
図１は本発明の木造トラス部材の実施例を示す斜視図、図２（ａ）は（ｂ）のＡ−Ａ断面図、（ｂ）は平面図、（ｃ）は（ｂ）のＢ−Ｂ断面図、（ｄ）はボルトで木材と接合部材を固定した状態を示す縦断面図である。
【００１４】
長尺の木材１の両端部にそれぞれ鋼製の接合部材２が取り付けられる。接合部材２は木材１の上面を押さえる頂板３と、木材１の中央に長手方向に形成された中溝４に挿入する挿入板５と、木材１の下面を支持する支持板６とが等間隔で平行に配置され、面板７に直角に設けられている。
【００１５】
木材１と接合部材２の間には、トラスの組立時に、ボルト９で固定する前に接合部材２が、木材１に対しての位置の微調整のために移動可能となる程度の隙間８が形成されるようにする。
【００１６】
頂板３、挿入板５、支持板６には、木材１と接合部材２をボルト９で固定するためのボルト孔１０が形成されている。ボルト９を仮締めした後に接着剤注入口１１から接着剤が注入される。
【００１７】
面板７は上下にボルト孔が形成され、木材１の上面及び下面に形成された長さ方向の溝１３の中に補強鋼棒１４が配置され、補強鋼棒１４の両端に形成されたネジ部にそれぞれナット１５が螺合し面板７に固定される。１４ａは溶接部分を示し、上下の補強鋼棒１４を頂板３及び支持板６にそれぞれ溶接して接合部材に固定される。
【００１８】
さらに、面板７には木造トラス部材を継手部材に接合するための接合板１６が挿入板５と反対方向に直角に設けられている。接合板１６の端部には継手部材に接合板１６をボルトで接合するためのボルト孔１７が形成されている。
【００１９】
本実施例の木造トラス部材を組み立てる場合、木材１に接合部材２をセットし、補強鋼棒１４はナット１５で仮締めした状態で、継手部材に接合板１６を位置決めしてボルト孔１７にボルトを通して固定する。このとき、接合部材２が木材１に対して移動可能に取り付けられているので、接合部材２を移動させて微調整することにより容易に位置決めすることができる。
【００２０】
木造トラス部材と継手部材との接続が完了すると補強鋼棒１４の両端をナット１５で固定する。また、木材と接合部材２をボルト９で仮締めし、エポキシ樹脂接着剤を接着剤注入口１１から注入溝１１に注入後、本締めして組立を完了する。
【００２１】
本実施例の木造トラス部材により、木造トラス部材を継手部材に容易に精度よく接合でき、補強鋼棒により木材に割れが入ったりしても必要な強度を保持することができるので、安全上問題はなく、あえて木造トラス部材を取り替える必要はない。
【図面の簡単な説明】
【００２２】
【図１】本発明の木造トラス部材の実施例を示す斜視図である。
【図２】（ａ）は（ｂ）のＡ−Ａ断面図、（ｂ）は平面図、（ｃ）は（ｂ）のＢ−Ｂ縦断面図である。
【図３】従来の
【符号の説明】
【００２３】
１：木材
２：接合部材
３：頂板
４：中溝
５：挿入板
６：支持板
７：面板
８：隙間
９：ボルト
１０：ボルト孔
１１：接着剤注入口
１３：溝
１４：補強鋼棒
１５：ナット
１６：接合板
１７：ボルト孔
２０：上弦材
２１：下弦材
２２：斜材
２３：継手部材
２４：木材
２５：接合ボルト
２６：スリーブ 
２７：コーン部材
【図１】
2005299155.tif 000003
【図２】
2005299155.tif 000004
【図３】
2005299155.tif 000005